(57)【要約】【課題】配線の位置を定めることができる配線機器、及び支持体を提供する。【解決手段】配線機器１は、本体３と、支持体２と、を備える。本体３は、配線８が接続される配線接続部３３を有する。支持体２は、天井９を貫通する取付孔９０の周縁部に取り付けられ、配線接続部３３が天井９の裏側に位置するように本体３を支持する。支持体２は、配線８の位置をガイドするガイド部２０を有する。【選択図】図１
2020072512.tif 000002
【特許請求の範囲】
【請求項１】
配線が接続される配線接続部を有する本体と、
天井を貫通する取付孔の周縁部に取り付けられ、前記配線接続部が前記天井の裏側に位置するように前記本体を支持する支持体と、を備え、
前記支持体は、前記配線の位置をガイドするガイド部を有する、
配線機器。
【請求項２】
前記配線接続部は、一方向から前記配線が接続されるように構成され、
前記ガイド部は、前記本体が前記支持体に支持された状態において、前記配線接続部に対して前記一方向側に設けられている、
請求項１に記載の配線機器。
【請求項３】
前記支持体は、前記取付孔を貫通するように挿入される挿入部を有し、
前記ガイド部は、前記挿入部における前記天井の裏側の先端部に設けられている、
請求項１又は２に記載の配線機器。
【請求項４】
前記ガイド部は、前記先端部側が開放した凹部である、
請求項３に記載の配線機器。
【請求項５】
前記凹部の底部は、前記天井に対して前記天井の裏側に位置する、
請求項４に記載の配線機器。
【請求項６】
前記取付孔の中心軸と直交する方向における、前記取付孔の前記中心軸を基準にした前記凹部の開口角度は、５０度以下である、
請求項４又は５に記載の配線機器。
【請求項７】
前記支持体は、
前記天井に取り付けられる天井取付部と、
前記本体を支持する本体支持部と、を有し、
前記本体は、前記本体支持部に対して、前記取付孔を貫通する方向に沿った回転軸を中心にして、前記本体支持部から取り外し可能な解除位置と、前記本体支持部に支持される装着位置と、の間で回転可能である、
請求項１〜６のうちいずれか１項に記載の配線機器。
【請求項８】
前記本体における、前記解除位置と前記装着位置との間の回転角度は、１８０度以下である、
請求項７に記載の配線機器。
【請求項９】
前記本体における、前記解除位置と前記装着位置との間の回転角度は、１５度以下である、
請求項７又は８に記載の配線機器。
【請求項１０】
前記本体は、一面に前記配線接続部が設けられた筐体を更に有し、
前記本体の回転方向において、前記筐体の前記一面における中心と直交する仮想線と、前記ガイド部の中心とが重なる位置を基準位置とし、
前記本体は、前記本体支持部に対して、前記基準位置を介して、前記解除位置と前記装着位置との間で回転可能である、
請求項７〜９のうちいずれか１項に記載の配線機器。
【請求項１１】
前記本体は、一面に前記配線接続部が設けられた筐体を更に有し、
前記本体の回転方向において、前記筐体の前記一面における中心と直交する仮想線と、前記ガイド部の中心とが重なる位置を基準位置とし、
前記解除位置は、前記基準位置と一致する、
請求項７〜９のうちいずれか１項に記載の配線機器。
【請求項１２】
前記本体は、前記配線接続部を複数有し、
前記複数の配線接続部は、互いに同一方向から前記配線が接続される、
請求項１〜１１のいずれか１項に記載の配線機器。
【請求項１３】
請求項１〜１２のうちいずれか１項に記載の配線機器に用いられる支持体。
【発明の詳細な説明】
【技術分野】
【０００１】
本開示は、一般に配線機器、及び支持体に関し、より詳細には天井に設置される配線機器、及び支持体に関する。
【背景技術】
【０００２】
従来、天井に設置される通信装置（配線機器）がある（例えば、特許文献１参照）。
【０００３】
特許文献１は、天井に埋め込まれて使用される通信装置であって、天井に埋め込まれる埋込部を有する筐体と、埋込部に配置されたスプリングヒンジと、を備えている。
【０００４】
埋込部の上面には、通信ケーブル及び電源ケーブル（配線）が接続される。
【先行技術文献】
【特許文献】
【０００５】
【特許文献１】特開２０１７−１８０５５４号公報
【発明の概要】
【発明が解決しようとする課題】
【０００６】
特許文献１の配線機器は、配線の位置が定まっていないため、設置作業性が低下する要因となっていた。設置作業性とは、配線機器の天井への取り付け、天井からの取り外し、及び配線の接続、取り外し等の作業の容易性である。
【０００７】
本開示は、上記事由に鑑みてなされており、その目的は、配線の位置を定めることができる配線機器、及び支持体を提供することにある。
【課題を解決するための手段】
【０００８】
本開示の一態様に係る配線機器は、本体と、支持体と、を備える。前記本体は、配線が接続される配線接続部を有する。前記支持体は、天井を貫通する取付孔の周縁部に取り付けられ、前記配線接続部が前記天井の裏側に位置するように前記本体を支持する。前記支持体は、前記配線の位置をガイドするガイド部を有する。
【０００９】
本開示の一態様に係る支持体は、前記配線機器に用いられる。
【発明の効果】
【００１０】
本開示では、配線の位置を定めることができるという効果がある。
【図面の簡単な説明】
【００１１】
【図１】図１は、本開示の一実施形態に係る配線機器の分解斜視図である。
【図２】図２Ａ〜図２Ｃは、同上の配線機器における本体支持部への本体カバーの取付方法の説明図である。
【図３】図３は、同上の配線機器における本体が解除位置にある状態の正面図である。
【図４】図４は、同上の配線機器における本体が解除位置にある状態の平面図である。
【図５】図５は、同上の配線機器における本体が装着位置にある状態の正面図である。
【図６】図６は、同上の配線機器における本体が装着位置にある状態の平面図である。
【図７】図７は、本開示の一実施形態の変形例に係る配線機器における本体が解除位置にある状態の平面図である。
【発明を実施するための形態】
【００１２】
以下に説明する実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１３】
（実施形態）
本実施形態に係る配線機器１について、図１〜図６を参照して説明する。
【００１４】
本実施形態の配線機器１は、天井９に設置される天井設置型のスイッチングハブである。
【００１５】
配線機器１は、支持体２と、本体３と、を備えている。支持体２は、天井９に形成された取付孔９０の周縁部に取り付けられ、本体３を支持する。本体３は、天井９の裏側に配置されているＬＡＮ（Local Area Network）ケーブル８１、電源ケーブル８２を含む配線８が接続される。天井９の裏側とは、天井９に対向する床と反対側である。図１、図４、図６では、本体３に接続される複数の配線８のうち、２本のＬＡＮケーブル８１及び１本の電源ケーブル８２のみを図示し、他の配線８の記載を省略している。
【００１６】
配線機器１は、ＬＡＮケーブル８１（配線８）を介して、コンピュータ端末、ゲートウェイ装置、ネットワークカメラ、ＩＰ（Internet Protocol）電話、無線アクセスポイント等の複数の通信機器と接続される。配線機器１は、複数の通信機器間で送受信される信号を中継する。
【００１７】
支持体２は、配線８の位置をガイドするガイド部２０を備えている。ガイド部２０により、配線８が位置が定められるので、設置作業性が向上する。設置作業性とは、配線機器１の天井９への取り付け、天井９からの取り外し、及び配線の接続、取り外し等の作業の容易性である。
【００１８】
配線機器１の詳細な構成について説明する。以下では、天井９と床とが対向する方向を上下方向として説明する。
【００１９】
・支持体
天井９は、上下方向を厚さ方向とする板状の構造材であって、配線機器１（支持体２）を取り付けるための取付孔９０が形成されている。取付孔９０は、開口形状が円形であって、天井９を上下方向に貫通している。支持体２は、取付孔９０の周縁部の一部を上下方向に挟むようにして、天井９に取り付けられる。
【００２０】
支持体２は、挿入部２１と、フランジ２２と、本体支持部２３と、天井取付部２４と、を備えている。
【００２１】
挿入部２１は、上下方向の両端が開口した円筒状に形成されており、上下方向に貫通した貫通孔２１０を有する。挿入部２１の外径（直径）は、取付孔９０の直径よりも小さい。天井９に支持体２を取り付ける際、挿入部２１は、天井９の下側（床側）から取付孔９０を貫通するように取付孔９０に挿入される。挿入部２１は、貫通孔２１０の中心軸と取付孔９０の中心軸とが同心となるように取付孔９０に挿入される。挿入部２１の下端には、フランジ２２が取り付けられている。
【００２２】
フランジ２２は、上下方向を厚さ方向とする板材である。フランジ２２は、円環状に形成されており、上下方向に貫通した貫通孔２２０を有する。フランジ２２の貫通孔２２０は、挿入部２１の貫通孔２１０と略同じ形状、かつ略同じ大きさである。フランジ２２の外径（直径）は、挿入部２１の外径、及び天井９の取付孔９０の外径よりも大きい（図３、図５参照）。フランジ２２は、貫通孔２２０の中心軸と挿入部２１の貫通孔２１０の中心軸とが同心となるように、挿入部２１の下端に取り付けられる。フランジ２２は、複数（本実施形態では２つ）の固定ねじ２２１によって、挿入部２１の下端に固定される。フランジ２２の下面には、本体支持部２３が取り付けられている。
【００２３】
本体支持部２３は、上下方向の両端が開口した円筒状に形成されており、上下方向に貫通した貫通孔２３０を有する。本体支持部２３の貫通孔２３０は、フランジ２２の貫通孔２２０と略同じ形状、かつ略同じ大きさである。本体支持部２３の外径は、フランジ２２の外形と略同じである。本体支持部２３は、貫通孔２３０の中心軸とフランジ２２の貫通孔２２０の中心軸とが同心となるように、フランジ２２の下面に取り付けられる。本体支持部２３は、複数（本実施形態では３つ）の固定ねじ２３１によって、フランジ２２の下面に固定される。つまり、本体支持部２３は、フランジ２２を介して挿入部２１に固定される。
【００２４】
本体支持部２３における貫通孔２３０の内周面２３２には、本体３を支持するための複数（本実施形態では３つ）の取付凹部２３３が形成されている。３つの取付凹部２３３は、内周面２３２の周方向において、等間隔（１２０度間隔）に形成されている。取付凹部２３３は、Ｌ字状に形成されており、第１凹部２３４と第２凹部２３５とを含む。第１凹部２３４は、本体支持部２３の上下両端にわたって形成されている。第２凹部２３５は、第１凹部２３４の上端部から本体支持部２３の周方向の一方に沿って形成されている。本実施形態では、第２凹部２３５は、本体支持部２３を床側（下側）から見て、第１凹部２３４の上端部から本体支持部２３の周方向における時計回りの向きに沿って形成されている。本体支持部２３は、各取付凹部２３３の第２凹部２３５に、本体３の突起３５３を収容することにより、本体３を支持する。支持体２（本体支持部２３）に対する本体３の着脱方法の詳細な説明は後述する。
【００２５】
天井取付部２４は、挿入部２１の外周側に配置された複数（本実施形態では２つ）の押さえ部材２４１を有している。押さえ部材２４１は、上下方向を厚さ方向とする板材であり、取付ねじ２４２に結合されている。挿入部２１の外周面には、上下両端にわたって凹部２１１が形成されている。取付ねじ２４２は、凹部２１１を上下方向に貫通するように配置される。凹部２１１の上端部には、凹部２１１を塞ぐように突出片２１２が形成されている（図４、図６参照）。突出片２１２には、上下方向に貫通する挿通孔２１３が形成されている。また、フランジ２２には、凹部２１１と上下方向に対向する位置に挿通孔２２２が形成されている。取付ねじ２４２は、挿通孔２１３及び挿通孔２２２を貫通するように配置されている。
【００２６】
押さえ部材２４１は、取付片Ｃとフランジ２２との間の位置において、取付ねじ２４２に結合されている。押さえ部材２４１は、取付ねじ２４２に結合された状態で、凹部２１１内を上下方向に移動可能である。押さえ部材２４１は、挿入部２１から突出するように配置される。
【００２７】
支持体２を天井９に取り付ける場合、押さえ部材２４１が天井９の裏側に位置するように、挿入部２１を天井９の取付孔９０に挿入する。このとき、押さえ部材２４１が天井９と干渉しないように、挿入部２１には、押さえ部材２４１を収容する収容凹部２１４が形成されている。収容凹部２１４は、凹部２１１から挿入部２１の周方向に沿って形成されている。つまり、支持体２を天井９に取り付ける場合、押さえ部材２４１を収容凹部２１４に収容した状態で、挿入部２１を天井９の取付孔９０に挿入する。挿入部２１を取付孔９０に挿入した後、取付ねじ２４２を回転させる。押さえ部材２４１は、取付ねじ２４２に結合されているため、取付ねじ２４２を回転させることにより、収容凹部２１４から出るように回転して挿入部２１から突出する。押さえ部材２４１は、凹部２１１の側面に当たることにより、回転が規制される。そのため、取付ねじ２４２がさらに締まる向きに回転すると、押さえ部材２４１は、フランジ２２に近付くように凹部２１１内を下方向に移動する。これにより、押さえ部材２４１とフランジ２２とで天井９を上下方向から挟み、支持体２を天井９の取付孔９０の周縁部に取り付けることができる（図３、図５参照）。
【００２８】
また、挿入部２１の先端部２１５には、ガイド部２０が設けられている。挿入部２１の先端部２１５とは、挿入部２１が天井９の取付孔９０に挿入された状態において、天井９の裏側に位置する端部である。ガイド部２０は、挿入部２１の先端部２１５に設けられた凹部２０１である。凹部２０１は、挿入部２１の先端部２１５側（上側）が開放しており、底部２０２と、一対の傾斜部２０３と、を有する。底部２０２は、先端部２１５よりも下方に形成されており、上下方向と直交する平面で構成されている。一対の傾斜部２０３は、挿入部２１の周方向における底部２０２の両端部と、挿入部２１の先端部２１５と、を連続させる。一対の傾斜部２０３は、上下方向に対して傾斜した傾斜面で構成されており、上端部が湾曲している。配線８は、凹部２０１を通って本体３の配線接続部３３に接続される（図４、図６参照）。つまり、配線８は、凹部２０１を通るように位置が定められる。ガイド部２０による配線８のガイドについての詳細な説明は、後述する。
【００２９】
・本体
本体３は、天井９に取り付けられた支持体２に支持されることにより、天井９に配置される。本体３は、支持体２に対して、取り付け及び取り外しが自在（着脱自在）である。本体３は、支持体２に対して回転されることにより、支持体２に取り付けられる、又は支持体２から取り外される。
【００３０】
本体３は、通信装置３１と、本体カバー３５と、固定部材３６と、化粧カバー３７と、を備えている。
【００３１】
通信装置３１は、筐体３２と、複数（本実施形態では８つ）の配線接続部３３と、基板３４と、を有する。以下の説明では、複数の配線接続部３３を区別して説明する場合、配線接続部３３ａ〜ｈという。
【００３２】
筐体３２は、ケース３２１と、カバー３２２と、を有する。筐体３２は、ケース３２１とカバー３２２とが組み合わさることにより、上下方向を長手方向とする扁平な矩形箱状に形成されている。筐体３２（カバー３２２）の一面３２３には、複数の配線接続部３３が設けられている。
【００３３】
各配線接続部３３は、配線８の端部であるプラグ８０が挿入される開口部３３０を有している。各配線接続部３３は、開口部３３０の開口面（配線接続部３３の端面）と直交する一方向から配線８が接続される。本実施形態では、各配線接続部３３は、開口部３３０の開口面が筐体３２の一面３２３と面一となるように配置されている。したがって、各配線接続部３３は、筐体３２の一面３２３に直交する一方向から配線８が接続される。言い換えれば、複数の配線接続部３３は、互いに同一方向から配線８が接続される。
【００３４】
具体的には、筐体３２の内部には、基板３４が配置されている。基板３４は、プリント基板であり、上下方向を長手方向とする矩形状に形成されている。基板３４は、筐体３２の一面３２３と平行となるように筐体３２に収容されている。ここでいう「平行」とは、厳密に平行である状態に限らず、誤差の範囲でずれていてもよい。各配線接続部３３は、配線８の端部のプラグ８０と電気的及び機械的に接続されるコネクタである。基板３４は、各配線接続部３３、及び複数の回路素子が実装されることにより、通信回路を構成している。カバー３２２の一面３２３には、複数の配線接続部３３に対応する位置に複数の開口部３２４が形成されている。複数の配線接続部３３の各々は、対応する開口Ｇから露出しており、筐体３２の一面３２３と直交する一方向から配線８が接続される。言い換えれば、複数の配線接続部３３の各々は、基板３４と直交する一方向から配線８が接続される。
【００３５】
配線接続部３３ａ〜３３ｇは、“ＲＪ−４５”規格に対応したコネクタであり、ＬＡＮケーブル８１が接続される。ＬＡＮケーブル８１の線径（直径）は、例えば７．５ｍｍ程度である。配線接続部３３ａ〜３３ｆは、通信用ポートであって、ＬＡＮケーブル８１を介してコンピュータ端末等の通信機器が接続される。６つの配線接続部３３ａ〜３３ｆは、上下方向に３つずつ、上下方向に直交する方向に２つずつ並んで配置されている。
【００３６】
配線接続部３３ｇは、コンソールポートであって、ＬＡＮケーブル８１を介して設定端末が接続される。設定端末は、通信装置３１と通信を行い、通信装置３１への設定入力、通信装置３１の情報取得等を行う。配線接続部３３ｇは、６つの配線接続部３３ａ〜３３ｆの下側に配置されている。
【００３７】
配線接続部３３ｈは、電源コネクタであり、電源ケーブル８２を介してＡＣ／ＤＣアダプタが接続される。ＡＣ／ＤＣアダプタは、商用電源から供給される電力を直流電力に変換し、電源ケーブル８２を介して通信装置３１に供給する。通信装置３１は、ＡＣ／ＤＣアダプタから供給される電力により動作する。配線接続部３３ｈは、上下方向における、６つの配線接続部３３ａ〜ｆと、配線接続部３３ｇとの間に配置されている。
【００３８】
本体カバー３５は、通信装置３１に下側に配置されている。本体カバー３５は、上面が開口し下面が閉じられた円筒状に形成されており、平面視が円形の底部３５１と、底部３５１の外周縁の全体から上方に突出した周壁３５２と、を有する。本体カバー３５の底部３５１には、通信装置３１が配置されている。通信装置３１は、固定部材３６を介して本体カバー３５に固定されている。
【００３９】
固定部材３６は、上下方向を厚さ方向とする円形の板状に形成されている。固定部材３６の中央部には、通信装置３１の筐体３２が貫通する矩形状の挿通孔３６０が形成されている。挿通孔３６０の縁の一部から上方に突出するように、一対の第１固定片３６１と、第２固定片３６２とが形成されている。一対の第１固定片３６１は、矩形板状に形成されており、上下方向に直交する方向において筐体３２のカバー３２２の下端部と対向する。第２固定片３６２は、矩形板状に形成されており、上下方向と直交する方向において筐体３２のケース３２１の下端部と対向する。つまり、一対の第１固定片３６１と第２固定片３６２とで、筐体３２の下端部が上下方向と直交する方向に挟まれている。筐体３２は、一対の第１固定片３６１及び第２固定片３６２それぞれに形成された挿通孔を通って、固定ねじ３６３で固定部材３６に固定されている。
【００４０】
固定部材３６は、上下方向に貫通する複数（本実施形態では４つ）の挿通孔を通って、固定ねじ３６４で本体カバー３５の底部３５１に固定されている。
【００４１】
本体カバー３５は、支持体２における本体支持部２３に取り付けられる。本体カバー３５の直径は、本体支持部２３の貫通孔２３０の直径よりも小さい。本体カバー３５は、底部３５１の中心Ｏ１（図２Ａ〜図２Ｃ参照）が本体支持部２３の貫通孔２３０の中心軸と同心となるように、本体支持部２３の内側に配置される。本体カバー３５の周壁３５２の外周面には、複数（本実施形態では３つ）の突起３５３が形成されている。３つの突起３５３は、周壁３５２の周方向において、等間隔（１２０度間隔）に形成されている。複数の突起３５３が、本体支持部２３の内周面２３２に形成された複数の取付凹部２３３の第２凹部２３５に収容されることにより、本体カバー３５が本体支持部２３に取り付けられる。これにより、本体３が、天井９に取り付けられた支持体２に支持される。支持体２（本体支持部２３）に対する本体３の着脱方法の詳細な説明は後述する。
【００４２】
本体カバー３５の底部３５１の下面には、化粧カバー３７が取り付けられている。
【００４３】
化粧カバー３７は、上面が開口し下面が閉じられた円筒状に形成されており、平面視が円形の底部３７１と、底部３７１の外周縁の全体から上方に突出した周壁３７２と、を有する。底部３７１には、上方に突出するように複数（本実施形態では４つ）の爪部が形成されている。化粧カバー３７は、複数の爪部が、本体カバー３５の底部３５１に形成された複数（本実施形態では４つ）の取付孔３５４の縁に引っ掛かることにより本体カバー３５に取り付けられる。化粧カバー３７の直径は、支持体２の本体支持部２３の外径よりも大きい。これにより、本体３を支持体２に取り付けた際に、天井９から床側に突出した本体支持部２３等を化粧カバー３７で覆うことができ、配線機器１を目立ちにくくすることができる。
【００４４】
・着脱方法
次に、天井９に取り付けられた支持体２に対する本体３の着脱方法について、図２Ａ〜図２Ｃを参照して説明する。
【００４５】
上述したように、本体カバー３５が本体支持部２３に取り付けられることにより、本体３が支持体２に支持される。図２Ａ〜図２Ｃでは、配線機器１における本体カバー３５及び本体支持部２３のみを図示し、他の構成要素の記載を省略している。
【００４６】
まず、本体カバー３５を本体支持部２３に取り付ける方法について説明する。
【００４７】
本体カバー３５の複数の突起３５３が、本体支持部２３の内周面２３２に形成された複数の取付凹部２３３の第１凹部２３４と上下方向に対向するように、本体カバー３５の位置を合わせる（図２Ａ参照）。
【００４８】
複数の突起３５３が複数の取付凹部２３３の第１凹部２３４の上端部まで入るように、本体カバー３５を本体支持部２３の貫通孔２３０に挿入する（図２Ｂ参照）。以下、本体３における、本体カバー３５の各突起３５３が第１凹部２３４の上端部まで入っている状態の位置（図２Ｂ参照）を「解除位置」という。
【００４９】
複数の突起３５３が、複数の取付凹部２３３の第２凹部２３５における内周面２３２の周方向の端部に位置するように、回転軸Ａ１（図２Ａ参照）を中心にして本体カバー３５を解除位置から回転させる（図２Ｃ参照）。具体的には、回転軸Ａ１は、本体カバー３５の底部３５１の中心Ｏ１を通り、上下方向に沿った軸である。言い換えれば、回転軸Ａ１は、天井９の取付孔９０を貫通する方向に沿った軸である。取付孔９０を貫通する方向とは、天井９の厚さ方向であって、本実施形態では上下方向である。本体カバー３５は、回転軸Ａ１を中心にして、本体カバー３５を床側（下側）から見て時計回りの向きに回転させる。図２Ｂ、図２Ｃでは、本体カバー３５及び本体支持部２３を上側から見た図であるため、本体カバー３５が反時計回りの向きに回転される。本体カバー３５の各突起３５３が、第１凹部２３４の上端部から、第２凹部２３５における内周面２３２の周方向の端部まで移動し、第２凹部２３５に収容される。これにより、本体カバー３５の各突起３５３が、本体支持部２３の取付凹部２３３の縁に引っ掛かり、本体カバー３５が本体支持部２３に支持される。以下、本体３における、本体カバー３５の各突起３５３が第２凹部２３５における内周面２３２の周方向の端部にある状態の位置（図２Ｃ参照）を「装着位置」という。つまり、装着位置は、本体カバー３５を、解除位置（図２Ｂ参照）から回転軸Ａ１を中心にして所定の回転角度で回転させた位置である。
【００５０】
次に、本体カバー３５を本体支持部２３から取り外す方法について説明する。
【００５１】
本体カバー３５を本体支持部２３から取り外す手順は、上述した本体カバー３５を本体支持部２３に取り付ける手順の逆である。
【００５２】
本体カバー３５の位置が装着位置（図２Ｃ参照）から解除位置（図２Ｂ参照）になるように、本体カバー３５を、回転軸Ａ１を中心にして所定の回転角度で回転させる。このとき、本体カバー３５を回転させる向きは、本体カバー３５を床側（下側）から見て反時計回りの向きである。本体カバー３５が装着位置から解除位置に移動することにより、本体支持部２３による本体カバー３５の支持が解除される。そして、解除位置にある本体カバー３５を、本体支持部２３から下方に引き抜くことにより、本体支持部２３から取り外すことができる。
【００５３】
・配線のガイド
次に、配線接続部３３に接続される配線８のガイドについて、図３〜図６を参照して説明する。図３及び図４は、本体３が解除位置にある状態を示し、図５及び図６は、本体３が装着位置にある状態を示している。なお、図３〜図６では、化粧カバー３７の記載を省略している。
【００５４】
配線接続部３３に配線８を接続する場合、本体３を支持体２から取り外した状態で、天井９の裏側から取付孔９０を通して引き出した配線８を配線接続部３３に接続する。そして、配線接続部３３に配線８が接続された状態で、本体３を支持体２に取り付ける。
【００５５】
本体３が解除位置（図３、図４参照）にある状態において、通信装置３１に対して、筐体３２の一面３２３と直交する方向の一方向側にガイド部２０が位置する。言い換えれば、本体３が解除位置にある状態において、ガイド部２０に対して、配線接続部３３に配線８を接続する接続向きに配線接続部３３が位置する。したがって、図４に示すように、配線接続部３３に接続された配線８が凹部２０１を通る。これにより、配線８の位置が凹部２０１内に定められる。
【００５６】
上述したように、本体３が基準位置から装着位置まで回転されると、本体３が支持体２に支持される。本体３が装着位置（図５、図６参照）にある状態において、通信装置３１に対して、筐体３２の一面３２３と直交する方向の一方側にガイド部２０が位置する。言い換えれば、本体３が装着位置にある状態において、ガイド部２０に対して、配線接続部３３に配線８を接続する接続向きに配線接続部３３が位置する。したがって、図６に示すように、配線接続部３３に接続された配線８が凹部２０１を通る。これにより、配線８の位置が凹部２０１内に定められる。
【００５７】
つまり、本体３が解除位置、及び装着位置のいずれの位置にある場合でも、通信装置３１に対して、配線接続部３３が設けられている筐体３２の一面３２３と対向する方向に、ガイド部２０が位置する。したがって、本体３が解除位置と装着位置との間の回転に伴って、配線接続部３３に接続されている配線８が移動したとしても、凹部２０１内での移動に留まる。そのため、支持体２に対する本体３の着脱作業中は、配線８の位置がガイド部２０によってガイドされる。
【００５８】
また、本体３が解除位置にある状態において、配線８が凹部２０１内を通るように位置が定められている。そのため、支持体２に対する本体３の取り付け、及び取り外す作業が容易となる。また、支持体２から本体３を取り外した状態で、配線接続部３３に対する配線８の接続、及び取り外す作業が容易となる。つまり、通信装置３１の設置作業性が向上する。
【００５９】
また、ガイド部２０における凹部２０１の底部２０２は、天井９に対して天井９の裏側に位置する（図３、図５参照）。つまり、底部２０２は、天井９よりも上側に位置する。これにより、配線接続部３３に対する配線８の接続、及び取り外す作業が行われる際に、配線８が天井９の取付孔９０の周縁に接触することが抑制される。したがって、配線８、及び天井９の取付孔９０の周縁の損傷を抑制することができる。また、挿入部２１は、上端の全周（底部２０２を含む）にわたって天井９よりも上側に位置しているので、天井９の裏側の埃等が取付孔９０を通って落ちることが抑制される。
【００６０】
・本体の回転角度
次に、支持体２に対して本体３を取り付ける、又は取り外す際の、本体３の回転角度のついて、図４、図６を参照して説明する。
【００６１】
ここで、通信装置３１における筐体３２の一面３２３の中心をＯ２（図３、図５参照）とする。本実施形態では、筐体３２の一面３２３の中心Ｏ２が回転軸Ａ１上に位置するように通信装置３１が配置されている。挿入部２１におけるガイド部２０の中心をＯ３（図３〜図６参照）とする。ガイド部２０の中心Ｏ３は、挿入部２１の周方向におけるガイド部２０の中央である。
【００６２】
本体３が解除位置にある場合において、筐体３２の一面３２３の中心Ｏ２と直交する仮想線（法線）をＸ１（図４参照）とする。本体３が装着位置にある場合において、筐体３２の一面３２３の中心Ｏ２と直交する仮想線（法線）をＸ２（図６参照）とする。
【００６３】
また、本体３の回転方向において、筐体３２の一面３２３の中心Ｏ２と直交する仮想線（法線）が、ガイド部２０の中心Ｏ３と重なるときの本体３の位置を「基準位置」とする。本体３が基準位置にある場合において、筐体３２の一面３２３の中心Ｏ２と直交する仮想線（法線）をＸ０（図４、図６参照）とする。
【００６４】
本実施形態では、本体３は、解除位置（図４参照）と装着位置（図６参照）との間で、基準位置を介して回転移動する。言い換えれば、解除位置と装着位置との間に基準位置がある。本体３の回転方向において、基準位置に対して一方側に解除位置があり、他方側に装着位置がある。これにより、本体３が解除位置、及び装着位置のいずれの位置にある場合でも、配線接続部３３が設けられている筐体３２の一面３２３に対するガイド部２０の位置ずれが抑制され、ガイド部２０が配線８をガイドしやすくなる。
【００６５】
本体３が解除位置にある場合における筐体３２の中心Ｏ２と直交する仮想線Ｘ１と、本体３が基準位置にある場合における筐体３２の中心Ｏ２と直交する仮想線Ｘ０とのなす角をθ１とする（図４参照）。仮想線Ｘ１と仮想線Ｘ０とのなす角θ１が、本体３における、解除位置と基準位置との間の回転角度である。
【００６６】
本体３が装着位置にある場合における筐体３２の中心Ｏ２と直交する仮想線Ｘ２と、本体３が基準位置にある場合における筐体３２の中心Ｏ２と直交する仮想線Ｘ０とのなす角をθ２とする（図６参照）。仮想線Ｘ２と仮想線Ｘ０とのなす角θ２が、本体３における、装着位置と基準位置との間の回転角度である。
【００６７】
つまり、角度θ１と角度θ２とを足した角度が、本体３における、解除位置と装着位置との間の回転角度となる。解除位置と装着位置との間の回転角度は、１８０度以下であることが好ましい。解除位置と装着位置との間の回転角度が１８０度以下であれば、本体３を解除位置と装着位置との間で回転させた際に、配線８が筐体３２に巻きつくことが抑制される。解除位置と装着位置との間の回転角度は、１５度以下であることがより好ましい。本実施形態では、解除位置と装着位置との間の回転角度は、１５度である。これにより、本体３を解除位置と装着位置との間で回転した際における、配線８の移動を抑制することができる。そのため、凹部２０１の開口角度を小さくして、挿入部２１の強度の低下を抑制することができる。凹部２０１の開口角度とは、取付孔９０の中心軸（本実施形態では、回転軸Ａ１と同軸）と直交する方向における、取付孔９０の中心軸を基準にした凹部２０１の開口寸法を示す角度である（図４参照）。具体的には、凹部２０１の開口角度は、取付孔９０の中心軸（回転軸Ａ１）と、本体３の回転方向における凹部２０１の底部２０２の両端部それぞれとを通る一対の仮想線Ｘ３ａ，Ｘ３ｂのなす角θ３である。凹部２０１の開口角度θ３は、５０度以下であることが好ましい。本実施形態では、凹部２０１の開口角度θ３は、約４８度である。
【００６８】
また、本実施形態では、解除位置と基準位置との間の回転角度θ１と、装着位置と基準位置との間の回転角度θ２とが、同じ角度である。つまり、本体３の回転方向において、解除位置と装着位置との中間に基準位置がある。これにより、本体３が解除位置、及び装着位置のいずれの位置にある場合でも、配線接続部３３が設けられている筐体３２の一面３２３に対するガイド部２０の位置ずれが抑制され、ガイド部２０が配線８をガイドしやすくなる。
【００６９】
本実施形態では、平面視において、本体３が解除位置にある場合、筐体３２の一面３２３の法線Ｘ１（仮想線）がガイド部２０（凹部２０１）と交差している（図４参照）。また、平面視において、本体３が装着位置にある場合、筐体３２の一面３２３の法線Ｘ２（仮想線）がガイド部２０（凹部２０１）と交差している（図６参照）。これにより、これにより、本体３が解除位置、及び装着位置のいずれの位置にある場合でも、配線接続部３３が設けられている筐体３２の一面３２３に対するガイド部２０の位置ずれが抑制され、ガイド部２０が配線８をガイドしやすくなる。
【００７０】
また、解除位置と基準位置との間の回転角度（θ１＋θ２）は、凹部２０１の開口角度θ３よりも小さい。これにより、本体３が解除位置、及び装着位置のいずれの位置にある場合でも、配線接続部３３が設けられている筐体３２の一面３２３に対するガイド部２０の位置ずれが抑制され、ガイド部２０が配線８をガイドしやすくなる。
【００７１】
（変形例）
次に、配線機器１の変形例について説明する。以下に説明する変形例は、上記実施形態、又は変形例同士を適宜組み合わせて適用可能である。
【００７２】
・第１変形例
次に、配線機器１の第１変形例について、図７を参照して説明する。上記実施形態と同様の構成については、同一の符号を付して説明を省略する。
【００７３】
上述した例では、本体３の回転方向において、解除位置と装着位置との中間に基準位置があり、解除位置と基準位置との間の回転角度θ１（図４参照）と、装着位置と基準位置との間の回転角度θ２（図６参照）とが同じであったが、これに限らない。回転角度θ１と回転角度θ２とは、互いに異なる角度であってもよい。
【００７４】
図７は、本変形例の配線機器１において、本体３が解除位置にある状態の平面図である。図７に示すように、本変形例の配線機器１では、解除位置は、基準位置と一致する。言い換えれば、本体３が解除位置にある場合における筐体３２の一面３２３の法線Ｘ１と、本体３が基準位置にある場合における筐体３２の一面３２３の法線Ｘ０とが重なり、解除位置と基準位置との間の回転角度が０度である。
【００７５】
したがって、本変形例では、本体３が解除位置にある状態において、配線接続部３３が設けられている筐体３２の一面３２３が、ガイド部２０と正対する。これにより、本体３が解除位置にある状態において、ガイド部２０によって配線８がよりガイドされやすくなる。そのため、支持体２に対する本体３の取り付け、及び取り外す作業が容易となる。また、支持体２から本体３を取り外した状態で、配線接続部３３に対する配線８の接続、及び取り外す作業が容易となる。つまり、通信装置３１の設置作業性が向上する。
【００７６】
本変形例では、解除位置が基準位置と一致しているが、装着位置が基準位置と一致していてもよい。
【００７７】
・その他の変形例
以下、配線機器１のその他の変形例について列挙する。
【００７８】
上述した例では、凹部２０１の底部２０２は、上下方向に直交した平面で構成されていが、これに限らない。例えば、底部２０２は、挿入部２１の周方向における中央部が下端となるようにＶ字状、又はＵ字状に傾斜していてもよい。また、挿入部２１は、凹部２０１の縁が湾曲するようにＲ加工されていてもよい。これにより、凹部２０１の縁と配線８との接触による配線８の損傷を抑制することができる。
【００７９】
また、上述した例では、凹部２０１の一対の傾斜部２０３は、上下方向に対して傾斜した傾斜面で構成されていたが、これに限らない。例えば、一対の傾斜部２０３は、上下方向に沿った面で構成されていてもよい。
【００８０】
また、上述した例では、ガイド部２０は、挿入部２１の先端部２１５に設けられた凹部２０１で構成されていたが、これに限らない。例えば、ガイド部２０は、挿入部２１の先端部２１５から上方に突出した一対の突出部で構成されていてもよい。一対の突出部は、挿入部２１の周方向において離れており、一対の突出部間に配線８が通される。
【００８１】
また、上述した例では、ガイド部２０は、挿入部２１の先端部２１５に設けられていたが、挿入部２１とは別部材であってもよい。
【００８２】
また、上述した例では、配線機器１がスイッチングハブであったが、これに限らない。配線機器１は、配線が接続される機器であればよく、例えば、無線アクセスポイント等の通信機器、電源タップ、スピーカ、空気清浄機等であってもよい。
【００８３】
（まとめ）
第１態様に係る配線機器（１）は、本体（３）と、支持体（２）と、を備える。本体（３）は、配線（８）が接続される配線接続部（３３）を有する。支持体（２）は、天井（９）を貫通する取付孔（９０）の周縁部に取り付けられ、配線接続部（３３）が天井（９）の裏側に位置するように本体（３）を支持する。支持体（２）は、配線（８）の位置をガイドするガイド部（２０）を有する。
【００８４】
この態様によれば、ガイド部（２０）により、配線（８）の位置を定めることができる。これにより、配線機器（１）の設置作業性の向上を図ることができる。
【００８５】
第２態様に係る配線機器（１）では、第１態様において、配線接続部（３３）は、一方向から配線（８）が接続されるように構成されている。ガイド部（２０）は、本体（３）が支持体（２）に支持された状態において、配線接続部（３３）に対して一方向側に設けられている。
【００８６】
この態様によれば、ガイド部（２０）に対して、配線接続部（３３）に配線（８）を接続する向きに、配線接続部（３３）が設けられているので、配線（８）をガイドしやすくなる。
【００８７】
第３態様に係る配線機器（１）では、第１又は第２態様において、支持体（２）は、取付孔（９０）を貫通するように挿入される挿入部（２１）を有する。ガイド部（２０）は、挿入部（２１）における天井（９）の裏側の先端部（２１５）に設けられている。
【００８８】
この態様によれば、挿入部（２１）の先端部（２１５）にガイド部（２０）が設けられているので、配線（８）をガイドしやすくなる。
【００８９】
第４態様に係る配線機器（１）では、第３態様において、ガイド部（２０）は、先端部（２１５）側が開放した凹部（２０１）である。
【００９０】
この態様によれば、簡易な構成で、配線（８）をガイドすることができる。
【００９１】
第５態様に係る配線機器（１）では、第４態様において、凹部（２０１）の底部（２０２）は、天井（９）に対して天井（９）の裏側に位置する。
【００９２】
この態様によれば、天井（９）の裏側の埃等が、取付孔（９０）を通って落ちるのを抑制することができる。
【００９３】
第６態様に係る配線機器（１）では、第４又は第５態様において、取付孔（９０）の中心軸と直交する方向における、取付孔（９０）の中心軸を基準にした凹部（２０１）の開口角度（θ３）は、５０度以下である。
【００９４】
この態様によれば、凹部（２０１）による挿入部（２１）の強度の低下を抑制することができる。
【００９５】
第７態様に係る配線機器（１）では、第１〜第６態様のいずれかにおいて、支持体（２）は、天井（９）に取り付けられる天井取付部（２４）と、本体（３）を支持する本体支持部（２３）と、を有する。本体（３）は、本体支持部（２３）に対して、取付孔（９０）を貫通する方向に沿った回転軸（Ａ１）を中心にして、本体支持部（２３）から取り外し可能な解除位置と、本体支持部（２３）に支持される装着位置と、の間で回転可能である。
【００９６】
この態様によれば、本体支持部（２３）に対して本体（３）を回転させることで、支持体（２）に本体（３）を取り付け、又は支持体（２）から本体（３）を取り外すことができる。
【００９７】
第８態様に係る配線機器（１）では、第７態様において、本体（３）における、解除位置と装着位置との間の回転角度は、１８０度以下である。
【００９８】
この態様によれば、配線（８）が本体（３）に巻き付くことが抑制される。
【００９９】
第９態様に係る配線機器（１）では、第７又は第８態様において、本体（３）における、解除位置と装着位置との間の回転角度は、１５度以下である。
【０１００】
この態様によれば、少ない回転量で、支持体（２）に対する本体（３）の取り付け、及び取り外しが可能となる。
【０１０１】
第１０態様に係る配線機器（１）では、第７〜第９態様のいずれかにおいて、本体（３）は、一面（３２３）に配線接続部（３３）が設けられた筐体（３２）を更に有する。本体（３）の回転方向において、筐体（３２）の一面３２３における中心と直交する仮想線と、ガイド部（２０）の中心とが重なる位置を基準位置とする。本体（３）は、本体支持部（２３）に対して、基準位置を介して、解除位置と装着位置との間で回転可能である。
【０１０２】
この態様によれば、本体（３）が基準位置及び装着位置のいずれの位置にある場合でも、配線（８）をガイドしやすくなる。
【０１０３】
第１１態様に係る配線機器（１）では、第７〜第９態様のいずれかにおいて、本体（３）は、一面（３２３）に配線接続部（３３）が設けられた筐体（３２）を更に有する。本体（３）の回転方向において、筐体（３２）の一面（３２３）における中心と直交する仮想線と、ガイド部（２０）の中心とが重なる位置を基準位置とする。解除位置は、基準位置と一致する。
【０１０４】
この態様によれば、配線機器（１）の設置作業性の向上を図ることができる。
【０１０５】
第１２態様に係る配線機器（１）では、第１〜第１１態様のいずれかにおいて、本体（３）は、配線接続部（３３）を複数有する。複数の配線接続部（３３）は、互いに同一方向から配線（８）が接続される。
【０１０６】
この態様によれば、複数の配線（８）の位置をまとめて定めることができる。
【０１０７】
第１３態様に係る支持体（２）は、第１〜第１２態様のいずれかの配線機器（１）に用いられる。
【０１０８】
この態様によれば、ガイド部（２０）により、配線（８）の位置を定めることができる。これにより、配線機器（１）の設置作業性の向上を図ることができる。
【符号の説明】
【０１０９】
１  配線機器
２  支持体
２０  ガイド部
２０１  凹部
２０２  底部
２１  挿入部
２１５  先端部
２３  本体支持部
２４  天井取付部
３  本体
３２  筐体
３３  配線接続部
８  配線
９  天井
９０  取付孔
Ａ１  回転軸
Ｏ２  中心
θ３  開口角度
【図１】
2020072512.tif 000003
【図２】
2020072512.tif 000004
【図３】
2020072512.tif 000005
【図４】
2020072512.tif 000006
【図５】
2020072512.tif 000007
【図６】
2020072512.tif 000008
【図７】
2020072512.tif 000009